(57)【要約】【課題】  ＷＤＭ／ＴＤＭ−ＰＯＮ方式の光通信ネットワークシステムにおけるディスカバリ処理で未登録の加入者側端末を早急に検出することができる局側装置及び光通信ネットワークシステムを提供する。【解決手段】  複数の加入者側端末を共通の光伝送路を介して接続可能な少なくとも１つの外部ポートを有する局側装置であり、局側装置は外部ポートを介して光信号を送受信し、外部ポートから送信する光信号の送信波長及び外部ポートに供給される光信号の受光波長が各々調整可能である光送受信手段と、光送受信手段を制御して所定のディスカバリ用波長で未登録の加入者側端末検出用の光信号を外部ポートから送信させる制御手段と、を含み、光送受信手段は加入者側端末検出用の光信号に対する応答信号として登録リクエスト用の光信号を所定のディスカバリ用波長にて受信したとき当該登録リクエスト用の光信号を送信した未登録の加入者側端末に対する登録処理を実行する。【選択図】  図１
2014072545.tif 000002
【特許請求の範囲】
【請求項１】
ＷＤＭ／ＴＤＭ−ＰＯＮ方式の光ネットワークシステムにおいて複数の加入者側端末を共通の光伝送路を介して接続可能な少なくとも１つの外部ポートを有する局側装置であって、
前記外部ポートを介して光信号を送受信し、前記外部ポートから送信する光信号の送信波長及び前記外部ポートに供給される光信号の受光波長が各々調整可能である光送受信手段と、
前記光送受信手段を制御して所定のディスカバリ用波長で未登録の加入者側端末検出用の光信号を前記外部ポートから送信させる制御手段と、を含み、
前記光送受信手段は前記加入者側端末検出用の光信号に対する応答信号として登録リクエスト用の光信号を前記所定のディスカバリ用波長にて受信したとき当該登録リクエスト用の光信号を送信した未登録の加入者側端末に関する登録処理を実行することを特徴とする局側装置。
【請求項２】
前記外部ポートは複数からなり、
前記光送受信手段は、
当該複数の外部ポートの数分備えられ、前記光信号を送受信する複数の光送受信部と、
前記複数の外部ポートの数分備えられ、前記複数の光送受信部の各々の発光素子を送信データに応じて発光駆動しかつ前記複数の光送受信部の各々の受光素子の出力信号から受信データを得る複数の送受信処理部と、
前記複数の光送受信部と複数の送受信処理部との間に配置され、前記複数の光送受信部と複数の送受信処理部とを電気的に接続を切り替える切替スイッチ回路と、
前記複数の光送受信部の各々の前記光信号の送受信端子と前記複数の複数の外部ポートとの間に配置されたＡＷＧルータに代表される光ルーティングと、を更に含むことを特徴とする請求項１記載の局側装置。
【請求項３】
前記切替スイッチ回路は前記制御手段の制御に応じて前記複数の送受信処理部のいずれか１つを前記複数の光送受信部のうちのいずれか１に選択的に電気的に接続することを特徴とする請求項２記載の局側装置。
【請求項４】
前記切替スイッチ回路は前記制御手段の制御に応じて前記複数の送受信処理部と前記複数の光送受信部とを個別に電気的に接続することを特徴とする請求項２記載の局側装置。
【請求項５】
前記未登録の加入者用端末は未登録状態では前記所定のディスカバリ用波長で受信待機状態となり、前記加入者側端末検出用の光信号を受信すると、前記登録リクエスト用の光信号を前記局側装置に対して送信することを特徴とする請求項１ないし４のいずれか１記載の局側装置。
【請求項６】
複数の加入者側端末と、前記複数の加入者側端末を共通の光伝送路を介して接続可能な少なくとも１つの外部ポートを有する局側装置とを有するＷＤＭ／ＴＤＭ−ＰＯＮ方式の光通信ネットワークシステムであって、
前記局側装置は、
前記外部ポートを介して光信号を送受信し、前記外部ポートから送信する光信号の送信波長及び前記外部ポートに供給される光信号の受光波長が各々調整可能である光送受信手段と、
前記光送受信手段を制御して所定のディスカバリ用波長で未登録の加入者側端末検出用の光信号を前記外部ポートから送信させる制御手段と、を含み、
前記光送受信手段は前記加入者側端末検出用の光信号に対する応答信号としての登録リクエスト用の光信号を前記所定のディスカバリ用波長にて受信したとき当該登録リクエスト用の光信号を送信した未登録の加入者側端末に関する登録処理を実行し、
前記加入者側端末は、未登録状態では前記所定のディスカバリ用波長で受信待機状態となり、前記加入者側端末検出用の光信号を受信すると、前記登録リクエスト用の光信号を前記局側装置に対して送信する手段を有することを特徴とすることを特徴とする光通信ネットワークシステム。
【発明の詳細な説明】
【技術分野】
【０００１】
本発明は、ＷＤＭ（Wavelength Division Multiplexing：波長分割多重）／ＴＤＭ（Time Division Multiplexing：時分割多重）−ＰＯＮ(Passive Optical Network)方式を用いた光通信ネットワークシステム及びその局側装置に関する。
【背景技術】
【０００２】
光アクセスネットワークの一形態として受動型光加入者ネットワーク（ＰＯＮ：Ｐａｓｓｉｖｅ  Ｏｐｔｉｃａｌ  Ｎｅｔｗｏｒｋ）がある。ＰＯＮは、局内に設けられる１つの局側装置（ＯＬＴ：Ｏｐｔｉｃａｌ  Ｌｉｎｅ  Ｔｅｒｍｉｎａｌ）と、加入者宅に設けられる複数の加入者側装置（ＯＮＵ：Ｏｐｔｉｃａｌ  Ｎｅｔｗｏｒｋ  Ｕｎｉｔ）とを、光ファイバと光スプリッタを介して接続する。
【０００３】
ＰＯＮでは、各ＯＮＵからＯＬＴに送られる信号（以下、上り光信号）と、ＯＬＴから各ＯＮＵに送られる信号（以下、下り光信号）は、干渉を防ぐためにそれぞれ異なる波長が割り当てられる。また、ＰＯＮでは、様々な多重技術が用いられる。ＰＯＮで用いられる多重技術には、時間軸上の短い区間を各加入者に割り当てる時分割多重（ＴＤＭ：Ｔｉｍｅ  Ｄｉｖｉｓｉｏｎ  Ｍｕｌｔｉｐｌｅｘ）技術、異なる波長を各加入者に割り当てる波長分割多重（ＷＤＭ：Ｗａｖｅｌｅｎｇｔｈ  Ｄｉｖｉｓｉｏｎ  Ｍｕｌｔｉｐｌｅｘ）技術、異なる符号を各加入者に割り当てる符号分割多重（ＣＤＭ：Ｃｏｄｅ  Ｄｉｖｉｓｉｏｎ  Ｍｕｌｔｉｐｌｅｘ）技術などがある。これらの多重技術の中で、ＴＤＭを利用するＴＤＭ−ＰＯＮが、現在最も広く用いられている。
【０００４】
ＴＤＭ−ＰＯＮでは、ＯＬＴが、各ＯＮＵの送信タイミングを管理して、異なるＯＮＵからの上り光信号同士が衝突しないように制御するTDMA（Ｔｉｍｅ  Ｄｉｖｉｓｉｏｎ  Ｍｕｌｔｉｐｌｅ  Ａｃｃｅｓｓ）技術が利用させている。
【０００５】
ＰＯＮシステムの中で、Ｅｔｈｅｒｎｅｔ（登録商標）技術を使用したものを、Ｅｔｈｅｒｎｅｔ（登録商標）−ＰＯＮと称し、Ｇｉｇａｂｉt  Ｅｔｈｅｒｎｅｔ（登録商標）技術を使用したものをＧＥ−ＰＯＮと称する。ＧＥ−ＰＯＮは、ＩＥＥＥ８０２．３ａｈで標準化されている。更に、データレートを１０倍に高速化した１０Ｇ−ＥＰＯＮは、ＩＥＥＥ８０２.３ａｖで標準化されている。
【０００６】
ＧＥ−ＰＯＮシステムでは、１つのＯＬＴが、分岐された光伝送路、及びこの光伝送路の分岐先に接続されるＯＮＵを含む１つのＰＯＮブランチを管理している。ここで、例えば１つのＰＯＮブランチに含まれるＯＮＵが少ない場合に、ＯＬＴを少ないＯＮＵで共有するためコストがかかる。そこで、ＰＯＮブランチ内のＯＮＵが少ないときは、１つのＯＬＴが複数のＰＯＮブランチを管理するのが望ましい。 そのために、ＴＤＭ及びＷＤＭを併用することによって、１つのＯＬＴによって複数のＰＯＮブランチの管理を可能とするＰＯＮシステム（以下、ＴＤＭ／ＷＤＭ−ＰＯＮとも称する）が提案されている。
【０００７】
ＴＤＭ／ＷＤＭ−ＰＯＮでは、光ルーティング機能が新たに追加される。波長による光ルーティングを実現するデバイスとしてＡＷＧ（arrayed wavelength grating）ルータの使用が考えられいる。このような構成のＴＤＭ／ＷＤＭ−ＰＯＮでは、１つのＯＬＴが、下り光信号の送信波長を変えることにより、異なるＰＯＮブランチに対して下り光信号を送ることができる。また、ＯＮＵはＯＬＴから指示された波長の上り光信号を送ることで、特定のＯＬＴに上り光信号を送ることができる。これによって、ＰＯＮブランチにかかわらずＯＬＴとＯＮＵとの間の接続を自由に構成可能となる。
【先行技術文献】
【特許文献】
【０００８】
【特許文献１】特開２０１０−１０３８９３号公報
【特許文献２】特開２０１１−４２７０号公報
【発明の概要】
【発明が解決しようとする課題】
【０００９】
ＯＬＴとＯＮＵとの間で通信するためにはＯＬＴが光ファイバに接続されているＯＮＵを認識している必要があり、そのためにＯＬＴはＯＮＵを予め登録することを行う。上記の１０Ｇ−ＥＰＯＮには未登録のＯＮＵをＯＬＴに登録させるためにディスカバリ処理を行うことが規定されている。このディスカバリ処理では、未登録のＯＮＵは、ＯＬＴが一定時聞間隔でフレームとして送信するdiscovery gateメッセージを受信できるまで待機し、discovery gateメッセージの受信後、それに応答してRegisterリクエストをＯＬＴに返信することにより登録開始が開始される。このため、ディスカバリ処理ではＯＮＵがdiscovery gateメッセージを早期に確実に受信できることが重要である。
【００１０】
この登録方式を基本にしてＷＤＭ／ＴＤＭ−ＰＯＮを用いた光通信ネットワークシステムに適用すると、ＯＮＵ内のＴＦ(Tunable Filter)の波長設定が問題となる。ＴＦはＯＮＵの受光波長を任意に設定するために設けられており、ＷＤＭ／ＴＤＭ−ＰＯＮでは、管理するＯＬＴによってＯＮＵに到着するdiscovery gateメッセージの波長が異なる。また、未登録のＯＮＵ自身は、discovery gateメッセージがどの波長で送信されるか分からない。そのため、未登録のＯＮＵでは例えば、特許文献２のようにＴＦの中心波長を時間経過に従ってスイープさせて待機する方法を用いることが考えられる。この方法では、discovery gateメッセージの波長と未登録のＯＮＵのＴＦの中心波長が一致したときにdiscovery gateメッセージを受信することができる。しかしながら、この方法の場合には未登録のＯＮＵのＴＦの波長がdiscovery gateメッセージの波長と一致するまでは登録が開始されないので、ＯＮＵの登録完了までの時間が増大してしまうことがあるという欠点がある。
【００１１】
そこで、本発明の目的は、ＷＤＭ／ＴＤＭ−ＰＯＮ方式の光通信ネットワークシステムにおけるディスカバリ処理で未登録の加入者側端末（ＯＮＵ）を早急に検出することができる局側装置及び光通信ネットワークシステムを提供することである。
【課題を解決するための手段】
【００１２】
本発明の局側装置は、ＷＤＭ／ＴＤＭ−ＰＯＮ方式の光通信ネットワークシステムにおいて複数の加入者側端末を共通の光伝送路を介して接続可能な少なくとも１つの外部ポートを有する局側装置であって、前記外部ポートを介して光信号を送受信し、前記外部ポートから送信する光信号の送信波長及び前記外部ポートに供給される光信号の受光波長が各々調整可能である光送受信手段と、前記光送受信手段を制御して所定のディスカバリ用波長で未登録の加入者側端末検出用の光信号を前記外部ポートから送信させる制御手段と、を含み、前記光送受信手段は前記加入者側端末検出用の光信号に対する応答信号として登録リクエスト用の光信号を前記所定のディスカバリ用波長にて受信したとき当該登録リクエスト用の光信号を送信した未登録の加入者側端末に関する登録処理を実行することを特徴としている。
【００１３】
本発明の光通信ネットワークシステムは、複数の加入者側端末と、前記複数の加入者側端末を共通の光伝送路を介して接続可能な少なくとも１つの外部ポートを有する局側装置とを有するＷＤＭ／ＴＤＭ−ＰＯＮ方式の光通信ネットワークシステムであって、前記局側装置は、前記外部ポートを介して光信号を送受信し、前記外部ポートから送信する光信号の送信波長及び前記外部ポートに供給される光信号の受光波長が各々調整可能である光送受信手段と、前記光送受信手段を制御して所定のディスカバリ用波長で未登録の加入者側端末検出用の光信号を前記外部ポートから送信させる制御手段と、を含み、前記光送受信手段は前記加入者側端末検出用の光信号に対する応答信号として登録リクエスト用の光信号を前記所定のディスカバリ用波長にて受信したとき当該登録リクエスト用の光信号を送信した未登録の加入者側端末に関する登録処理を実行し、前記加入者側端末は、未登録状態では前記所定のディスカバリ用波長で受信待機状態となり、前記未登録の加入者側端末検出用の光信号を受信すると、前記登録リクエスト用の光信号を前記局側装置に対して送信する手段を有することを特徴としている。
【発明の効果】
【００１４】
本発明の局側装置及び光通信ネットワークシステムにおいては、ＷＤＭ／ＴＤＭ−ＰＯＮ方式の光通信ネットワークシステムの光伝送路に接続された未登録の加入者側端末は予め定められたディスカバリ用波長で受信待機すれば、局側装置から送信される未登録の加入者側端末検出用の光信号を早急に受信することができ、また、その未登録の加入者側端末は未登録の加入者側端末検出用の光信号に応答して登録リクエスト用の光信号を局側装置に対して送信することにより局側装置では登録リクエスト用の光信号に応じて登録処理を早急に開始することができる。
【図面の簡単な説明】
【００１５】
【図１】本発明を適用した光通信ネットワークシステムを示すブロック図である。
【図２】図１のシステム内の局側装置のＡＷＧルータの入出力特性を示す図である。
【図３】図１のシステム内のＰＯＮブランチのＯＮＵの内部構成を示すブロック図である。
【図４】図１のシステムのディスカバリ処理におけるシーケンス図である。
【図５】図４のディスカバリ処理における切替スイッチ回路及びＡＷＧルータの信号経路を示す図である。
【図６】図４のディスカバリ処理における切替スイッチ回路及びＡＷＧルータの信号経路を示す図である。
【図７】図１のシステムの他のディスカバリ処理におけるシーケンス図である。
【図８】図７のディスカバリ処理における切替スイッチ回路及びＡＷＧルータの信号経路を示す図である。
【発明を実施するための形態】
【００１６】
以下、本発明の実施例を、図面を参照しつつ詳細に説明する。
【００１７】
図１は本発明の光通信ネットワークシステムを示している。このシステムは４台のＯＬＴ１１１〜１１４を備えた局側装置１と、１ＰＯＮブランチ当たりに２台のＯＮＵが備えられている。なお、局側装置１におけるＯＬＴの数は４に限定されない。
【００１８】
局側装置１はＯＬＴ１１１〜１１４の他に、切替スイッチ回路１２、光送受信部１３１〜１３４、ＡＷＧルータ１４、及びＯＬＴコントローラ１５を備えている。
【００１９】
切替スイッチ回路１２は４ブランチに対応して４×４端子を有している。切替スイッチ回路１２の一方の４端子にはＯＬＴ１１１〜１１４が各々接続され、他方の４端子には光送受信部１３１〜１３４が双方向で通信可能に接続されている。切替スイッチ回路１２はＯＬＴ１１１〜１１４各々を光送受信部１３１〜１３４のいずれか１と接続することができる。
【００２０】
光送受信部１３１〜１３４各々は、図示しないが、光送信用の波長可変レーザーダイオード、光受信用のフォトダイオード、及びＷＤＭフィルタを有している。その波長可変レーザーダイオードの発光波長（送信波長）及びフォトダイオードの受光波長（受信波長）は予め定めた波長範囲で任意の波長に調整可能にされている。ＷＤＭフィルタは受光信号と発光信号とを分波及び合成する。光送受信部１３１〜１３４各々はＡＷＧルータ１４の４つの内部ポート１６１〜１６４に接続されている。
【００２１】
ＯＬＴ１１１〜１１４各々は送信時には切替スイッチ回路１２を介してその波長可変レーザーダイオードを駆動し、受信時にはフォトダイオードの出力信号を切替スイッチ回路１２を介して受信する。
【００２２】
ＡＷＧルータ１４は、波長周回性の４×４ＡＷＧルータであり、入力ポート毎に異なる同一波長間隔の４波長λ１〜λ４の光信号を入力し、それに対して図２に示す如きルーティングテーブルに従って出力ポートから光信号を出力することができる。例えば、入力ポート１〜４（内部ポート１６１〜１６４に対応）各々に波長λ１の光信号が入力されるとその光信号はそのまま対応する出力ポート１〜４（外部ポート１７１〜１７４に対応）から出力される。また、入力ポート１に波長λ２の光信号が入力されるとその光信号は出力ポート２から出力され、入力ポート１に波長λ３の光信号が入力されるとその光信号は出力ポート３から出力され、入力ポート１に波長λ４の光信号が入力されるとその光信号は出力ポート４から出力される。他の入力ポート２〜４についても同様に波長に応じて光信号を出力ポートに出力することが行われる。また、周回性をもつＡＷＧルータを利用することで、λ１〜λ４を下り通信波長とし、周回波長λ５〜λ８を上り通信波長とすることで、上り下りで異なる波長を利用した場合でも、上り下りで同じ入出力ポートの関係をもって波長ルーティングされる。
【００２３】
ＡＷＧルータ１４の４つの外部ポート１７１〜１７４はＰＯＮブランチ２１〜２４各々と光伝送路である光ファイバ２０１〜２０４で接続されている。
【００２４】
ＯＬＴコントローラ１５はＯＬＴ１１１〜１１４各々の送受信の動作制御、光送受信部１３１〜１３４各々の発光波長及び受光波長、並びに切替スイッチ回路１２の切替制御を行う。
【００２５】
ＰＯＮブランチ２１〜２４は複数のＯＮＵ２２１，２２２を有している。本実施例では理解し易いようにＰＯＮブランチ２１〜２４各々が２つのＯＮＵ２２１，２２２を有していることにしたが、ＯＮＵの数は限定されない。
【００２６】
光カプラ２１はＰＯＮブランチ２１〜２４毎に対応する光ファイバ２０１〜２０４に接続され、また、２つのＯＮＵ２２１，２２２に接続され、光信号を分波及び合波する。すなわち、光カプラ２１は光ファイバ２０１〜２０４各々で供給された光信号を分波して光ファイバ２３１，２３２を介してＯＮＵ２２１，２２２に供給し、逆にＯＮＵ２２１，２２２各々から光ファイバ２３１，２３２を介して供給された光信号を合成して対応する光ファイバ２０１〜２０４に出力する。なお、ＯＮＵ２２１，２２２各々からの上りの光信号にはＴＤＭＡ方式の制御が施されている。
【００２７】
ＯＮＵ２２１，２２２各々は図３に示すように、ＷＤＭフィルタ３１、光送信部３２、ＴＦ(Tunable Filter)３３、光受信部３４、ドライバ３５、クロックデータリカバリ（ＣＤＲ;clock data recovery )３６、ＯＮＵ用ＭＡＣ−ＬＳＩ３７及びユーザネットワークインターフェース（ＵＮＩ）３８を備えている。ＷＤＭフィルタ３１は光カプラ２１からの光ファイバ２３１又は２３２を介して供給された光信号から受光帯域の光信号を分波してＴＦ３３に供給し、光送信部３２からの発光信号を光ファイバ２３１又は２３２の光信号に合成してそれを光カプラ２１に供給する。光送信部３２は光送信用の波長可変レーザーダイオードからなり、ＷＤＭフィルタ３１と光学的に接続され、ドライバ３５とは電気的に接続されている。光送信用の波長可変レーザーダイオードは発光信号の波長を予め定められた波長範囲で調整可能にされている。ドライバ３５は光送信部３２を送信データに従って発光駆動する。
【００２８】
ＴＦ３３はＷＤＭフィルタ３１に光学的に接続されてＷＤＭフィルタ３１から供給される光信号のうちの特定の波長の光信号を受光信号として抽出する。光受信部３４はＴＦ３３と光学的に接続され、ＣＤＲ３６と電気的に接続されている。光受信部３４はＴＦ３３から供給される受光信号を電気信号に変換するフォトダイオードである。ＣＤＲ３６は光受信部３４の出力電気信号から同期用のクロック信号を抽出する。
【００２９】
また、ＯＮＵ２２１，２２２各々にはＯＮＵ用ＭＡＣ−ＬＳＩ３７が内蔵されており、ＭＡＣ−ＬＳＩ３７はＯＬＴからの指示信号に従って、光送信部３２の発光信号の波長を制御し、また、ＴＦ３３が抽出する受光信号の特定の波長を制御する。
【００３０】
ＵＮＩ３８はユーザネットワーク（図示せず）側の通信フォーマットに合わせるためデータのフォーマット変換を行う。
【００３１】
なお、ＯＬＴ１１１〜１１４、切替スイッチ回路１２、及びＯＬＴコントローラ１５を１つのＯＬＴチップとして形成しても良い。
【００３２】
次に、このような構造の光通信ネットワークシステムにおけるディスカバリ処理について図４のシーケンス図を参照して説明する。なお、ここではＰＯＮブランチ２１，２２各々の各ＯＮＵに対してディスカバリ処理が行われる。
【００３３】
ディスカバリ処理の全体的な管理は局側装置１のＯＬＴコントローラ１５が実行する。先ず、ディスカバリ処理の開始に当たってＯＬＴコントローラ１５は全てのＯＬＴ１１１〜１１４に対してデータ送信の停止を指令する（ステップＳ１）。ＯＬＴ１１１〜１１４各々はデータ送信の停止を完了したならば、その完了を返答としてＯＬＴコントローラ１５に通知する（ステップＳ２）。
【００３４】
ＯＬＴコントローラ１５はデータ送信の停止完了の通知を受信すると、光送受信部１３１〜１３４各々に対して送受信波長をλ１（所定のディスカバリ用波長）に指定する（ステップＳ３）。これによりディスカバリ処理で光送受信部１３１〜１３４各々から送受信される光信号の波長がλ１に設定される。また、ＯＬＴコントローラ１５は切替スイッチ回路１２に対して経路切替を指令する（ステップＳ４）。切替スイッチ回路１２は経路切替指令に応じて図５に実線Ａ１で示すようにＯＬＴ１１１と光送受信部１３１とを双方向に通信可能に電気的に接続する。
【００３５】
ＯＬＴコントローラ１５はＯＬＴ１１１に対してＰＯＮブランチ２１のディスカバリ指示を行う（ステップＳ５）。ディスカバリ指示にはＰＯＮブランチ２１を表す番号が含まれる。そのディスカバリ指示に応じてＯＬＴ１１１は電気信号であるディスカバリ駆動信号を出力する（ステップＳ６）。ディスカバリ駆動信号は切替スイッチ回路１２を介して光送受信部１３１の上記した光送信用の波長可変レーザーダイオードに供給され、光送信用の波長可変レーザーダイオードはディスカバリ駆動信号に応じて駆動されて波長λ１で発光する。その波長λ１のdiscovery gateメッセージが、図５に実線Ａ２で示したＡＷＧルータ１４のポート１６１，１７１間を介して光ファイバ２０１に送出され、そのdiscovery gateメッセージはＰＯＮブランチ２１に供給される（ステップＳ７）。また、光送受信部１３１では受光波長をλ５（λ１の周回波長）としてdiscoveryウインドウを開けることにdiscovery gateメッセージに対するRegisterリクエストでの応答の光信号を受信可能にする。
【００３６】
ＰＯＮブランチ２１では、discovery gateメッセージが光カブラ２１、そして光ケーブル２３１を介してＯＮＵ２２１に供給され、また、光ケーブル２３２を介してＯＮＵ２２２に供給される。ここで、ＯＮＵ２２１が未登録とすると、ＯＮＵ２２１は、そのＴＦ３３が波長λ１に設定されてディスカバリ処理のために待機中にある。よって、ＯＮＵ２２１において、光信号としてのdiscovery gateメッセージはＷＤＭフィルタ３１、そしてＴＦ３３を介して光受信部３４に受信される。光受信部３４はdiscovery gateメッセージを電気信号に変換する。変換後、ＣＤＲ３６にて同期用のクロックが抽出されて、クロックと受信データはＯＮＵ用ＭＡＣ−ＬＳＩ３７に供給される。ＭＡＣ−ＬＳＩ３７では受信データの種類を判断する。discovery gateメッセージの場合には、ＯＮＵ自身がまだＯＬＴに登録されていない場合、登録を要求するRegisterリクエスト信号をＯＬＴ１１１に送信するためにRegisterリクエストの送信データをドライバ３５に供給する。ドライバ３５はその送信データに応じて光送信部３２を駆動するので、光送信部３２からRegisterリクエストの光信号が波長λ５にてＷＤＭフィルタ３１を介してＯＬＴ１１１に向けて送出される。Registerリクエストの光信号はＰＯＮブランチ２１の光ケーブル２３１及び光カプラ２１、そして光ケーブル２０１を介して局側装置１に転送される（ステップＳ８）。
【００３７】
局側装置１では、そのRegisterリクエストの光信号はＡＷＧルータ１４のポート１７１，１６１間を介して光送受信部１３１に供給される。光送受信部１３１では上記したようにRegisterリクエストでの応答の光信号を受信可能にしているので、ＯＮＵ２２１から発せられたRegisterリクエストの光信号が受信される。光送受信部１３１はRegisterリクエストの光信号を電気信号に変換し、Registerリクエストの受信データが切替スイッチ回路１２を介して時間帯のディスカバリウインドウ(discovery window)を有するＯＬＴ１１１に供給される。ＯＬＴ１１１へRegisterリクエストが供給されることにより、ＯＬＴ１１１とＯＮＵ２２１との間で登録処理が実行される（ステップＳ１０）。登録処理でのＯＬＴ１１１とＯＮＵ２２１との間の信号経路はdiscovery gateメッセージ及びRegisterリクエストの場合と同じである。
【００３８】
ＯＬＴ１１１は登録処理を完了すると、ＯＮＵ２２１についてのディスカバリ処理の完了をＯＬＴコントローラ１５に通知する（ステップＳ１１）。なお、かかるＯＮＵ２２１と同一のＰＯＮブランチ２１内のＯＮＵ２２２が未登録のＯＮＵであったならば、ＯＮＵ２２１からのRegisterリクエストとは別のフレームでＯＮＵ２２２からRegisterリクエストが発せられるのでそのＯＮＵ２２２からRegisterリクエストに応じてＯＮＵ２２２についてもＯＬＴ１１１とＯＮＵ２２２との間で登録処理が実行される。
【００３９】
次いで、ＯＬＴコントローラ１５は切替スイッチ回路１２に対して経路切替を指令する（ステップＳ１２）。切替スイッチ回路１２は経路切替指令に応じて図６に実線Ｂ１で示すようにＯＬＴ１１１と光送受信部１３２とを双方向に通信可能に電気的に接続する。
【００４０】
ＯＬＴコントローラ１５はＯＬＴ１１１に対してＰＯＮブランチ２２のディスカバリ指示を行う（ステップＳ１３）。ディスカバリ指示にはＰＯＮブランチ２２を表す番号が含まれる。そのディスカバリ指示に応じてＯＬＴ１１１は電気信号であるディスカバリ駆動信号を出力する（ステップＳ１４）。ディスカバリ駆動信号は切替スイッチ回路１２を介して光送受信部１３２の上記した光送信用の波長可変レーザーダイオードに供給され、光送信用の波長可変レーザーダイオードはディスカバリ駆動信号に応じて駆動されて波長λ１で発光する。その波長λ１の発光信号がdiscovery gateメッセージとして図６に実線Ｂ２で示したＡＷＧルータ１４のポート１６２，１７２間を介して光ファイバ２０２に送出され、そのdiscovery gateメッセージはＰＯＮブランチ２２に供給される（ステップＳ１５）。また、光送受信部１３２では受光波長をλ５としてdiscoveryウインドウを開けることにdiscovery gateメッセージに対するRegisterリクエストでの応答の光信号を受信可能にする。
【００４１】
ＰＯＮブランチ２２では、discovery gateメッセージが光カブラ２１、そして光ケーブル２３１を介してＯＮＵ２２１に供給され、また、光ケーブル２３２を介してＯＮＵ２２２に供給される。ここで、ＰＯＮブランチ２２のＯＮＵ２２１，ＯＮＵ２２２が未登録とすると、ＯＮＵ２２１１，ＯＮＵ２２２各々は、そのＴＦ３３が波長λ１に設定されてディスカバリ処理のために待機中にある。よって、ＯＮＵ２２１，ＯＮＵ２２２各々において、光信号としてのdiscovery gateメッセージはＷＤＭフィルタ３１、そしてＴＦ３３を介して光受信部３４に受信される。これ以後の受信動作は、ＰＯＮブランチ２１で説明した動作と同様である。
【００４２】
また、ＯＮＵ用ＭＡＣ−ＬＳＩ３７でdiscovery gateメッセージを受信後も同様である。未登録のＯＮＵは登録を要求する信号であるRegisterリクエストをＯＬＴ１１１に送信するためにRegisterリクエストの送信データをドライバ３５に供給する。ドライバ３５はその送信データに応じて光送信部３２を駆動するので、光送信部３２からRegisterリクエストの光信号が波長λ１にてＷＤＭフィルタ３１を介してＯＬＴ１１１に向けて送出される。Registerリクエストの光信号はＰＯＮブランチ２２の光ケーブル２３１，２３２及び光カプラ２１、そして光ケーブル２０２を介して局側装置１に転送される（ステップＳ１６）。
【００４３】
局側装置１では、そのRegisterリクエストの光信号はＡＷＧルータ１４のポート１７２，１６２間を介して光送受信部１３２に供給される。光送受信部１３２では上記したようにRegisterリクエストでの応答の光信号を受信可能にしているので、ＯＮＵ２２１，ＯＮＵ２２２から発せられたRegisterリクエストの光信号が受信される。光送受信部１３２はRegisterリクエストの光信号を電気信号に変換し、Registerリクエストの受信データが切替スイッチ回路１２を介してＯＬＴ１１１に供給される。ＯＬＴ１１１へRegisterリクエストが供給されることにより、ＯＬＴ１１１とＰＯＮブランチ２２のＯＮＵ２２１，ＯＮＵ２２２各々との間で登録処理が実行される（ステップＳ１８）。
【００４４】
ＯＬＴ１１１はＰＯＮブランチ２２のＯＮＵ２２１，ＯＮＵ２２２各々の登録処理を完了すると、ディスカバリ処理の完了をＯＬＴコントローラ１５に通知する（ステップＳ１９）。
【００４５】
なお、図には示していないが、ＰＯＮブランチ２３，２４についても上記したＰＯＮブランチ２１又は２２と同様の方法でディスカバリ処理を実行することができる。
【００４６】
このように、かかるディスカバリ処理においては、各ＯＮＵでは予め決められた波長λ１にＴＦを設定して待機するので、確実にdiscovery gateメッセージを受信することができる。これにより、未登録のＯＮＵはＯＬＴへの登録処理を早急に開始できる。また、複数のブランチ分のＯＬＴを備えていてもＯＬＴ１台で全てのＰＯＮブランチのＯＮＵに対してディスカバリ処理を実行することができるため、他のスリープ状態（駆動停止状態）のＯＬＴをそのままの状態で維持することもできる。よって、局側装置の消費電力を抑えつつディスカバリ処理を実行することができる。
【００４７】
なお、帯域アップグレード時は、１つのＰＯＮブランチ内の複数のＯＮＵが複数のＯＬＴで個別に管理される。例えば、上記したＯＮＵ２２１，ＯＮＵ２２２の送受信波長が互いに異なり、ＯＮＵ２２１に例えばλ１が割り当てられ、ＯＮＵ２２２に例えば、λ２が割り当てられる。このように帯域アップグレード時には割当帯域の公平性から、その複数のＯＬＴのうちの管理ＯＮＵの数が少ない方のＯＬＴがそのＰＯＮブランチのディスカバリ処理を実行することが望ましい。また、局側装置内で低消費電力動作のため上記したスリーブ状態のＯＬＴが存在している場合には、スリーブ状態のＯＬＴに代わってＰＯＮブランチを管理しているＯＬＴがそのＰＯＮブランチのディスカバリ処理を実行することができる。
【００４８】
図７は他のディスカバリ処理のシーケンス図を示している。図７のディスカバリ処理では、ＯＬＴ１１１がＰＯＮブランチ２１を担当し、ＯＬＴ１１２がＰＯＮブランチ２２を担当し、ＯＬＴ１１３がＰＯＮブランチ２３を担当し、ＯＬＴ１１４がＰＯＮブランチ２４を担当する。
【００４９】
図７のディスカバリ処理では、局側装置１のＯＬＴコントローラ１５は、先ず、全てのＯＬＴ１１１〜１１４に対してデータ送信の停止を指令する（ステップＳ３１）。ＯＬＴ１１１〜１１４各々はデータ送信の停止を完了したならば、その完了を返答としてＯＬＴコントローラ１５に通知する（ステップＳ３２）。
【００５０】
ＯＬＴコントローラ１５はデータ送信の停止完了の通知をＯＬＴ１１１〜１１４各々から受信すると、光送受信部１３１〜１３４各々に対して送信波長をλ１に指定する（ステップＳ３３）。これによりディスカバリ処理で光送受信部１３１〜１３４各々から出力される光信号の波長がλ１となる。また、ＯＬＴコントローラ１５は切替スイッチ回路１２に対して経路切替を指令する（ステップＳ３４）。切替スイッチ回路１２は経路切替指令に応じて図８に実線Ｃ１〜Ｃ４で示すようにＯＬＴ１１１と光送受信部１３１とを、ＯＬＴ１１２と光送受信部１３２とを、ＯＬＴ１１３と光送受信部１３３とを、ＯＬＴ１１４と光送受信部１３４とを各々双方向に個別に通信可能に電気的に接続する。
【００５１】
ＯＬＴコントローラ１５はＯＬＴ１１１〜１１４に対して対応するＰＯＮブランチ２１〜２４のディスカバリ指示を行う（ステップＳ３５）。そのディスカバリ指示に応じてＯＬＴ１１１〜１１４各々は電気信号であるディスカバリ駆動信号を出力する（ステップＳ３６）。ＯＬＴ１１１〜１１４各々からのディスカバリ駆動信号は切替スイッチ回路１２を個別に介して光送受信部１３１〜１３４各々の上記した光送信用の波長可変レーザーダイオードに供給され、光送信用の波長可変レーザーダイオードはディスカバリ駆動信号に応じて駆動されて波長λ１で発光する。その波長λ１の発光信号がdiscovery gateメッセージとして図８に実線Ｄ１〜Ｄ４で示したＡＷＧルータ１４のポート１６１，１７１間、ポート１６２，１７２間、ポート１６３，１７３間、ポート１６４，１７４間を個別に介して対応する光ファイバ２０１〜２０４に各々送出され、そのdiscovery gateメッセージはＰＯＮブランチ２１〜２４に各々供給される（ステップＳ３７）。また、光送受信部１３１〜１３４各々では受信波長をλ５としてdiscoveryウインドウを開けることにdiscovery gateメッセージに対するRegisterリクエストでの応答の光信号を受信可能にする。
【００５２】
ＰＯＮブランチ２１〜２４では、discovery gateメッセージが光カブラ２１、そして光ケーブル２３１を介してＯＮＵ２２１に供給され、また、光ケーブル２３２を介してＯＮＵ２２２に供給される。ここで、ＰＯＮブランチ２２のＯＮＵ２２１，ＯＮＵ２２２が未登録とすると、ＯＮＵ２２１１，ＯＮＵ２２２各々は、そのＴＦ３３が波長λ１に設定されてディスカバリ処理のために待機中にある。よって、ＯＮＵ２２１，ＯＮＵ２２２各々において、光信号としてのdiscovery gateメッセージはＷＤＭフィルタ３１、そしてＴＦ３３を介して光受信部３４に受信される。光受信部３４はdiscovery gateメッセージを電気信号に変換する。discovery gateメッセージはＣＤＲにてクロック抽出をされて、クロックと受信データはＯＮＵ用ＭＡＣ−ＬＳＩ３７に供給される。ＯＮＵ用ＭＡＣ−ＬＳＩ３７はdiscovery gateメッセージの受信データに応答してRegisterリクエストを対応するＯＬＴ１１１〜１１４のいずれか１つに送信するためにRegisterリクエストの送信データをドライバ３５に供給する。ドライバ３５はその送信データに応じて光送信部３２を駆動するので、光送信部３２からRegisterリクエストの光信号が波長λ５にてＷＤＭフィルタ３１を介して対応するＯＬＴ１１１〜１１４のいずれか１つに向けて送出される。Registerリクエストの光信号はＰＯＮブランチ２１〜２４各々の光ケーブル２３１，２３２及び光カプラ２１、そして光ケーブル２０１〜２０４を個別に介して局側装置１に転送される（ステップＳ３８）。
【００５３】
局側装置１では、そのRegisterリクエストの光信号各々はＡＷＧルータ１４のポート１７１，１６１間、ポート１７２，１６２間、ポート１７３，１６３間、ポート１７４，１６４間を個別に介して光送受信部１３１〜１３４に供給される。光送受信部１３１〜１３４では上記したようにRegisterリクエストでの応答の光信号を受信可能にしているので、ＯＮＵ２２１，ＯＮＵ２２２から発せられたRegisterリクエストの光信号が受信される。光送受信部１３１〜１３４各々はRegisterリクエストの光信号を受信すると、それを電気信号に変換し、Registerリクエストの受信データが切替スイッチ回路１２を介してＯＬＴ１１１〜１１４に各々供給される。ＯＬＴ１１１〜１１４各々へRegisterリクエストが供給されることにより、ＯＬＴ１１１とＰＯＮブランチ２１のＯＮＵ２２１，ＯＮＵ２２２各々との間で登録処理が実行され、ＯＬＴ１１２とＰＯＮブランチ２２のＯＮＵ２２１，ＯＮＵ２２２各々との間で登録処理が実行され、ＯＬＴ１１３とＰＯＮブランチ２３のＯＮＵ２２１，ＯＮＵ２２２各々との間で登録処理が実行され、ＯＬＴ１１４とＰＯＮブランチ２４のＯＮＵ２２１，ＯＮＵ２２２各々との間で登録処理が実行される（ステップＳ４０）。
【００５４】
ＯＬＴ１１１〜１１４各々はＰＯＮブランチ２１〜２４のＯＮＵ２２１，ＯＮＵ２２２各々の登録処理を完了すると、ディスカバリ処理の完了をＯＬＴコントローラ１５に通知する（ステップＳ４１）。
【００５５】
このように、図７のディスカバリ処理においては、複数のＯＮＵでは予め決められた波長λ１にＴＦを設定して待機するので、確実にdiscovery gateメッセージを受信することができる。また、複数のＯＬＴが対応するＰＯＮブランチの各ＯＮＵに対して並列にディスカバリ処理を実行するので、未登録のＯＮＵに対してＯＬＴへの登録処理を早急に完了することができる。
【００５６】
また、図７のディスカバリ処理はシステムの電源投入後の初期段階に実行される場合に特に適しており、そのような場合には未登録のＯＮＵが多く存在するため、より早急にそれらのＯＮＵの登録を完了することができる。
【００５７】
なお、上記した実施例においては、所定のディスカバリ用波長を通常の通信で用いる波長λ１〜λ４のうちのλ１にしているが、所定のディスカバリ用波長は波長λ１〜λ４のうちの別の波長であっても良く、また、波長λ１〜λ４以外の波長であっても良い。
【符号の説明】
【００５８】
１  局側装置
２１〜２４  ＰＯＮブランチ
１１１〜１１４  ＯＬＴ
１２  切替スイッチ回路
１３１〜１３４  光送受信部
１４  ＡＷＧルータ
１５  ＯＬＴコントローラ
２１  光カプラ
２２１，２２２  ＯＮＵ
３１  ＷＤＭフィルタ
３２  光送信部
３３  ＴＦ
３４  光受信部
３５  ドライバ
３６  ＣＤＲ
３７  ＯＮＵ用ＭＡＣ−ＬＳＩ
３８  ＵＮＩ
【図１】
2014072545.tif 000003
【図２】
2014072545.tif 000004
【図３】
2014072545.tif 000005
【図４】
2014072545.tif 000006
【図５】
2014072545.tif 000007
【図６】
2014072545.tif 000008
【図７】
2014072545.tif 000009
【図８】
2014072545.tif 000010